(57)【特許請求の範囲】
【請求項１】
シリンダに挿入された鍵の挿入部の第１の面に設けられたキーコードに対応する部位に当接することによって、前記キーコードに応じて前記部位の位置が変化する方向である第１の方向の第１の位置に移動させられる第１の開閉プレートと、
前記鍵が挿入される鍵穴の中心において線対象となる位置に設けられ、前記鍵の挿入部の第２の面に設けられたキーコードに対応する部位に当接することによって、前記キーコードに応じて前記部位の位置が変化する方向である第１の方向の第２の位置に移動させられる第２の開閉プレートと、
前記第１の方向に直交し、前記鍵の挿入の方向と平行な第２の方向の位置が第３の位置または第４の位置に移動可能に設けられた第１のタンブラプレートと、
前記鍵が挿入される鍵穴の中心において線対象となる位置に設けられ、前記第１の方向に直交し、前記鍵の挿入の方向と平行な第２の方向の位置が第５の位置または第６の位置に移動可能に設けられた第２のタンブラプレートと、
前記第１のタンブラプレートを、前記シリンダの回動位置に応じて、前記第２の方向の前記第３の位置または前記第４の位置に移動させる第１のサイドバーと、
前記第２のタンブラプレートを、前記シリンダの回動位置に応じて、前記第２の方向の前記第５の位置または前記第６の位置に移動させる第２のサイドバーと
を含み、
前記第１のタンブラプレートと第２のタンブラプレートのそれぞれは、
前記第２の方向の前記第３の位置と、第５の位置に移動している場合、前記第１の開閉プレートと第２の開閉プレートのそれぞれに設けられた前記第１の方向に並ぶ複数の位置決め部分のうちの、１つの前記位置決め部分と、自分の一部とが係合することによって、係合している前記位置決め部分の位置と前記第１と第２の位置とによって定まる前記第１の方向の第７の位置と第８の位置に移動させられ、前記第１の方向の前記第７と第８の位置によって、前記第１のサイドバーと第２のサイドバーの前記第１の方向および前記第２の方向に直交する第３の方向の移動を規制することにより施錠するか、または開錠する動作を決定し、
前記第２の方向の前記第４の位置と第６の位置に移動している場合、自分の一部と、前記開閉プレートに設けられた前記位置決め部分との係合を解除させられ、
前記第１の開閉プレートと第２の開閉プレートのそれぞれは、
前記鍵が挿入されたとき、挿入された前記鍵のキーコードに対応する部位に当接することによって、挿入されている前記鍵のキーコードに対応する前記面で定まる位置であって、複数の前記位置決め部分のうちの、１つの前記位置決め部分と自分の一部とが係合することができる前記第１の方向の位置に移動させられる
シリンダ錠。
【請求項２】
前記第１の開閉プレートと前記第１のタンブラプレート、および前記第２の開閉プレートと前記第２のタンブラプレートは、それぞれ穴とピンとにより係合する
請求項１に記載のシリンダ錠。
【請求項３】
前記鍵のキーコードは、前記鍵の挿入部において鍵の挿入方向に向かって左右両面にそれぞれ設けられた溝の形状により特定される
請求項１に記載のシリンダ錠。
【請求項４】
前記鍵のキーコードは、前記鍵の挿入部において鍵の挿入方向に向かって左右両面にそれぞれ設けられた突起の面であって、鍵の挿入方向に向かって上側の面の形状により特定される
請求項１に記載のシリンダ錠。
【請求項５】
シリンダに挿入された鍵の挿入部の第１の面に設けられたキーコードに対応する部位に当接することによって、前記キーコードに応じて前記部位の位置が変化する方向である第１の方向の第１の位置に移動させられる第１の開閉プレートと、
前記鍵が挿入される鍵穴の中心において点対象となる位置に設けられ、前記鍵の挿入部の第２の面に設けられたキーコードに対応する部位に当接することによって、前記キーコードに応じて前記部位の位置が変化する方向である第１の方向の第２の位置に移動させられる第２の開閉プレートと、
前記第１の方向に直交し、前記鍵の挿入の方向と平行な第２の方向の位置が第３の位置または第４の位置に移動可能に設けられた第１のタンブラプレートと、
前記鍵が挿入される鍵穴の中心において点対象となる位置に設けられ、前記第１の方向に直交し、前記鍵の挿入の方向と平行な第２の方向の位置が第５の位置または第６の位置に移動可能に設けられた第２のタンブラプレートと、
前記第１のタンブラプレートを、前記シリンダの回動位置に応じて、前記第２の方向の前記第３の位置または前記第４の位置に移動させる第１のサイドバーと、
前記第２のタンブラプレートを、前記シリンダの回動位置に応じて、前記第２の方向の前記第５の位置または前記第６の位置に移動させる第２のサイドバーと
を含み、
前記第１のタンブラプレートと第２のタンブラプレートのそれぞれは、
前記第２の方向の前記第３の位置と、第５の位置に移動している場合、前記第１の開閉プレートと第２の開閉プレートのそれぞれに設けられた前記第１の方向に並ぶ複数の位置決め部分のうちの、１つの前記位置決め部分と、自分の一部とが係合することによって、係合している前記位置決め部分の位置と前記第１と第２の位置とによって定まる前記第１の方向の第７の位置と第８の位置に移動させられ、前記第１の方向の前記第７と第８の位置によって、前記第１のサイドバーと第２のサイドバーの前記第１の方向および前記第２の方向に直交する第３の方向の移動を規制することにより施錠するか、または開錠する動作を決定し、
前記第２の方向の前記第４の位置と第６の位置に移動している場合、自分の一部と、前記開閉プレートに設けられた前記位置決め部分との係合を解除させられ、
前記第１の開閉プレートと第２の開閉プレートのそれぞれは、
前記鍵が挿入されたとき、挿入された前記鍵のキーコードに対応する部位に当接することによって、挿入されている前記鍵のキーコードに対応する前記面で定まる位置であって、複数の前記位置決め部分のうちの、１つの前記位置決め部分と自分の一部とが係合することができる前記第１の方向の位置に移動させられる
シリンダ錠。
【請求項６】
前記第１の開閉プレートと前記第１のタンブラプレート、および前記第２の開閉プレートと前記第２のタンブラプレートは、それぞれ穴とピンとにより係合する
請求項５に記載のシリンダ錠。
【請求項７】
前記鍵のキーコードは、前記鍵の挿入部において鍵の挿入方向に向かって上下両面にそれぞれ設けられた溝の形状により特定される
請求項５に記載のシリンダ錠。
【発明の詳細な説明】
【技術分野】
【０００１】
本発明は、シリンダ錠に関し、キーコードを変更できる小型で安価なシリンダ錠であって、安全で小型なシリンダ錠を提供できるようにすることができるシリンダ錠に関する。
【背景技術】
【０００２】
遊技場の遊技機、いわゆる、パチンコ店のパチンコ台などには、第三者による、不正な操作を防止するためにシリンダ錠が用いられている。一方、遊技場側が遊技機を容易に管理することができるようにするため、１つの遊技場においては、１つの鍵で、それぞれの遊技機に設けられたシリンダ錠を施錠または開錠（解錠）できることが要求される。
【０００３】
シリンダ錠の鍵を紛失したり、不正に合鍵を作成された場合、または、不正に開錠される恐れが生じた場合、シリンダ錠を他の鍵で施錠または開錠できるものに取り替えなければならなかった。この場合、１つの鍵で施錠または開錠できるシリンダ錠を新たに多数準備すると、多額の費用がかかってしまう。また、シリンダ錠の取替え作業にも手間と時間がかかってしまっていた。
【０００４】
また、遊技機を新たに購入した場合、遊技機に設けられたシリンダ錠を、既に使用されている鍵で、施錠または開錠（解錠）できるようにすることが必要である。
【０００５】
このため、施錠または開錠できる鍵を自由に変更可能なシリンダ錠が提案されている（例えば、特許文献１参照）。
【特許文献１】特開２００５−２３２８００号公報
【発明の開示】
【発明が解決しようとする課題】
【０００６】
ところで、近年セキュリティの重要性が高く認識されるに伴って、鍵のキーコードを増やしたいというニーズが高まっている。例えば、特許文献１のシリンダ錠であれば、鍵の位置決め面に当接して移動する開閉プレートとタンブラプレートの数を増やすことで、そのシリンダ錠に設定可能なキーコードの数を増やすことができる。
【０００７】
しかしながら、セキュリティの強化も重要である一方で、遊技機など装置の小型化、薄型化も重要である。従来のシリンダ錠においては、開閉プレートとタンブラプレートが、シリンダ錠の奥行方向に一列に並べられて構成されているため、設定可能なキーコードの数を増やそうとすると、開閉プレートとタンブラプレートをシリンダ錠の奥行にさらに追加する必要があり、シリンダ錠の奥行方向の長さがさらに長くなってしまう。結果としてこのようなシリンダ錠が取り付けられる遊技機などの装置は、小型化、薄型化が困難になってしまう。
【０００８】
本発明は、このような状況に鑑みてなされたものであり、キーコードを変更できる小型で安価なシリンダ錠であって、安全で小型なシリンダ錠を提供できるようにするものである。
【課題を解決するための手段】
【０００９】
本発明による第１のシリンダ錠は、シリンダに挿入された鍵の挿入部の第１の面に設けられたキーコードに対応する部位に当接することによって、キーコードに応じて部位の位置が変化する方向である第１の方向の第１の位置に移動させられる第１の開閉プレートと、鍵が挿入される鍵穴の中心において線対象となる位置に設けられ、鍵の挿入部の第２の面に設けられたキーコードに対応する部位に当接することによって、キーコードに応じて部位の位置が変化する方向である第１の方向の第２の位置に移動させられる第２の開閉プレートと、第１の方向に直交し、鍵の挿入の方向と平行な第２の方向の位置が第３の位置または第４の位置に移動可能に設けられた第１のタンブラプレートと、鍵が挿入される鍵穴の中心において線対象となる位置に設けられ、第１の方向に直交し、鍵の挿入の方向と平行な第２の方向の位置が第５の位置または第６の位置に移動可能に設けられた第２のタンブラプレートと、第１のタンブラプレートを、シリンダの回動位置に応じて、第２の方向の第３の位置または第４の位置に移動させる第１のサイドバーと、第２のタンブラプレートを、シリンダの回動位置に応じて、第２の方向の第５の位置または第６の位置に移動させる第２のサイドバーとを含み、第１のタンブラプレートと第２のタンブラプレートのそれぞれは、第２の方向の第３の位置と、第５の位置に移動している場合、第１の開閉プレートと第２の開閉プレートのそれぞれに設けられた第１の方向に並ぶ複数の位置決め部分のうちの、１つの位置決め部分と、自分の一部とが係合することによって、係合している位置決め部分の位置と第１と第２の位置とによって定まる第１の方向の第７の位置と第８の位置に移動させられ、第１の方向の第７と第８の位置によって、第１のサイドバーと第２のサイドバーの第１の方向および第２の方向に直交する第３の方向の移動を規制することにより施錠するか、または開錠する動作を決定し、第２の方向の第４の位置と第６の位置に移動している場合、自分の一部と、開閉プレートに設けられた位置決め部分との係合を解除させられ、第１の開閉プレートと第２の開閉プレートのそれぞれは、鍵が挿入されたとき、挿入された鍵のキーコードに対応する部位に当接することによって、挿入されている鍵のキーコードに対応する面で定まる位置であって、複数の位置決め部分のうちの、１つの位置決め部分と自分の一部とが係合することができる第１の方向の位置に移動させられる。
【００１０】
本発明の第１のシリンダ錠においては、第１のタンブラプレートと第２のタンブラプレートのそれぞれは、第２の方向の第３の位置と、第５の位置に移動している場合、第１の開閉プレートと第２の開閉プレートのそれぞれに設けられた第１の方向に並ぶ複数の位置決め部分のうちの、１つの位置決め部分と、自分の一部とが係合することによって、係合している位置決め部分の位置と第１と第２の位置とによって定まる第１の方向の第７の位置と第８の位置に移動させられ、第１の方向の第７と第８の位置によって、第１のサイドバーと第２のサイドバーの第１の方向および第２の方向に直交する第３の方向の移動を規制することにより施錠するか、または開錠する動作を決定し、第２の方向の第４の位置と第６の位置に移動している場合、自分の一部と、開閉プレートに設けられた位置決め部分との係合を解除させられ、第１の開閉プレートと第２の開閉プレートのそれぞれは、鍵が挿入されたとき、挿入された鍵のキーコードに対応する部位に当接することによって、挿入されている鍵のキーコードに対応する面で定まる位置であって、複数の位置決め部分のうちの、１つの位置決め部分と自分の一部とが係合することができる第１の方向の位置に移動させられる。
【００１１】
従って、シリンダ錠の大きさを変更することなく、キーコードを増やすことができる。
【００１２】
前記第１の開閉プレートと前記第１のタンブラプレート、および前記第２の開閉プレートと前記第２のタンブラプレートは、それぞれ穴とピンとにより係合するようにすることができる。
【００１３】
したがって、耐久性の高いシリンダ錠を低コストで形成することができる。
【００１４】
前記鍵のキーコードは、前記鍵の挿入部において鍵の挿入方向に向かって左右両面にそれぞれ設けられた溝の形状により特定されるようにすることができる。
【００１５】
前記鍵のキーコードは、前記鍵の挿入部において鍵の挿入方向に向かって左右両面にそれぞれ設けられた突起の面であって、鍵の挿入方向に向かって上側の面の形状により特定されるようにすることができる。
【００１６】
従って、鍵をリバーシブルにすることができる。
【００１７】
本発明の第２のシリンダ錠は、シリンダに挿入された鍵の挿入部の第１の面に設けられたキーコードに対応する部位に当接することによって、キーコードに応じて部位の位置が変化する方向である第１の方向の第１の位置に移動させられる第１の開閉プレートと、鍵が挿入される鍵穴の中心において点対象となる位置に設けられ、鍵の挿入部の第２の面に設けられたキーコードに対応する部位に当接することによって、キーコードに応じて部位の位置が変化する方向である第１の方向の第２の位置に移動させられる第２の開閉プレートと、第１の方向に直交し、鍵の挿入の方向と平行な第２の方向の位置が第３の位置または第４の位置に移動可能に設けられた第１のタンブラプレートと、鍵が挿入される鍵穴の中心において点対象となる位置に設けられ、第１の方向に直交し、鍵の挿入の方向と平行な第２の方向の位置が第５の位置または第６の位置に移動可能に設けられた第２のタンブラプレートと、第１のタンブラプレートを、シリンダの回動位置に応じて、第２の方向の第３の位置または第４の位置に移動させる第１のサイドバーと、第２のタンブラプレートを、シリンダの回動位置に応じて、第２の方向の第５の位置または第６の位置に移動させる第２のサイドバーとを含み、第１のタンブラプレートと第２のタンブラプレートのそれぞれは、第２の方向の第３の位置と、第５の位置に移動している場合、第１の開閉プレートと第２の開閉プレートのそれぞれに設けられた第１の方向に並ぶ複数の位置決め部分のうちの、１つの位置決め部分と、自分の一部とが係合することによって、係合している位置決め部分の位置と第１と第２の位置とによって定まる第１の方向の第７の位置と第８の位置に移動させられ、第１の方向の第７と第８の位置によって、第１のサイドバーと第２のサイドバーの第１の方向および第２の方向に直交する第３の方向の移動を規制することにより施錠するか、または開錠する動作を決定し、第２の方向の第４の位置と第６の位置に移動している場合、自分の一部と、開閉プレートに設けられた位置決め部分との係合を解除させられ、第１の開閉プレートと第２の開閉プレートのそれぞれは、鍵が挿入されたとき、挿入された鍵のキーコードに対応する部位に当接することによって、挿入されている鍵のキーコードに対応する面で定まる位置であって、複数の位置決め部分のうちの、１つの位置決め部分と自分の一部とが係合することができる第１の方向の位置に移動させられる。
【００１８】
本発明の第２のシリンダ錠においては、第１のタンブラプレートと第２のタンブラプレートのそれぞれは、第２の方向の第３の位置と、第５の位置に移動している場合、第１の開閉プレートと第２の開閉プレートのそれぞれに設けられた第１の方向に並ぶ複数の位置決め部分のうちの、１つの位置決め部分と、自分の一部とが係合することによって、係合している位置決め部分の位置と第１と第２の位置とによって定まる第１の方向の第７の位置と第８の位置に移動させられ、第１の方向の第７と第８の位置によって、第１のサイドバーと第２のサイドバーの第１の方向および第２の方向に直交する第３の方向の移動を規制することにより施錠するか、または開錠する動作を決定し、第２の方向の第４の位置と第６の位置に移動している場合、自分の一部と、開閉プレートに設けられた位置決め部分との係合を解除させられ、第１の開閉プレートと第２の開閉プレートのそれぞれは、鍵が挿入されたとき、挿入された鍵のキーコードに対応する部位に当接することによって、挿入されている鍵のキーコードに対応する面で定まる位置であって、複数の位置決め部分のうちの、１つの位置決め部分と自分の一部とが係合することができる第１の方向の位置に移動させられる。
【００１９】
従って、シリンダ錠の大きさを変更することなく、キーコードを増やすことができる。
【００２０】
前記第１の開閉プレートと第１のタンブラプレート、および第２の開閉プレートと第２のタンブラプレートは、それぞれ穴とピンとにより係合するようにすることができる。
【００２１】
したがって、耐久性の高いシリンダ錠を低コストで形成することができる。
【００２２】
前記鍵のキーコードは、鍵の挿入部において鍵の挿入方向に向かって上下両面にそれぞれ設けられた溝の形状により特定されるようにすることができる。
【００２３】
従って、従来のシリンダ錠との鍵の互換性を実現することができる。
【発明の効果】
【００２４】
本発明によれば、シリンダ錠を提供することができる。特に、キーコードを変更できる小型で安価なシリンダ錠であって、安全で小型なシリンダ錠を提供できる。
【発明を実施するための最良の形態】
【００２５】
以下に、本発明の実施の形態について図面を参照して説明する。
【００２６】
図１および図２は、本発明を適用したシリンダ錠１００の外観の例を示している。図１は、シリンダ錠１００の前端部側の外観の斜視図である。図２は、シリンダ錠１００の後端部側の外観の斜視図である。
【００２７】
シリンダ錠１００の、外周シリンダ１０１の内側には、正規の鍵が挿入された場合に、鍵と共に回動する内周シリンダ１０３が設けられている。内周シリンダ１０３が外周シリンダ１０１の内側に配置された状態において、内周シリンダ１０３に設けられた、鍵が挿入される鍵穴１０３ａは、外周シリンダ１０１から外部に露出する。
【００２８】
また、外周シリンダ１０１の後部には、スイッチケース１０２が設けられており、外周シリンダ１０１とスイッチケース１０２は、ビス１０５−１およびビス１０５−１の反対側にある１０５−２により互いに固定されている。スイッチケース１０２は、シリンダ錠１００が開錠されたとき、開錠されたことを表す電気的信号を生成するスイッチ（後述）が内部に取り付けられており、スイッチケース１０２の後部に設けられたコネクタ１０２ａが、例えば、遊技機の電源ユニットの所定の部位に接続されて、シリンダ錠１００が開錠されたことを表す電気的信号を、電源ユニットに供給する。
【００２９】
図３は、シリンダ錠１００の構成を示す斜視図である。同図に示されるように、内周シリンダ１０３は、外周シリンダ１０１の内側に挿入されるように構成されており、外周シリンダ１０１の内部で回動可能となるように構成されている。また、内周シリンダ１０３は、後部（図中鍵穴１０３ａと反対側）に、ラチェットディスク１１１の凸部１１１ａと嵌合する形状の凹部を有しており、自身の回動に伴ってラチェットディスク１１１を回動させる。
【００３０】
ラチェットディスク１１１は、所定の厚みを有する円盤状のものであり、スイッチケース１０２の内部に挿入されるように構成されており、スイッチケース１０２の内部で回動可能となるように構成されている。ラチェットディスク１１１には、中央において、図中上下方向にラチェットディスク１１１を貫通する方向に設けられたバネ穴があり、バネ穴にはバネ１１３が挿入される。また、バネ穴に挿入されたバネ１１３の図中下端に当接するようにラチェットボール１１４が配置される。ラチェットボール１１４は、その直径がバネ穴の直径とほぼ同じとなるように構成されており、バネ１１３によりラチェットディスク１１１の外周に突出するように付勢される。
【００３１】
スイッチケース１０２は、前方の円周状の端部１０２ｃが内周シリンダ１０３に当接するとともに、その外側の面が外周シリンダ１０１の内側の面と当接するように構成されており、内部にスイッチ１１２が取り付けられるように構成されている。そしてスイッチ１１２の先端部１１２ａが、ラチェットディスク１１１の回動に伴ってラチェットディスク１１１の後部（図中凸部１１１ａの反対側）の凸部により押圧されるように構成されている。そして先端部１１２ａが所定の位置まで押圧されたとき、コネクタ１０２ａから電気信号が出力される。
【００３２】
また、スイッチケース１０２の内部には、ラチェットディスク１１１の回動（回転）位置を制御する制御溝１０２ｄ−１および１０２ｄ−２が設けられている。また、同図においては見えない位置に、同様の制御溝１０２ｄ−３が設けられており、制御溝１０２ｄ−１乃至１０２ｄ−３は、それぞれラチェットボール１１４の一部と緩やかに係合するような形状と深さで構成されている。
【００３３】
例えば、図３の場合、ラチェットボール１１４は、１０２ｄ−１と係合する位置にあり、この状態からラチェットディスク１１１が９０°回転された場合、ラチェットボール１１４が、制御溝１０２ｄ−２と係合することになる。このように、ラチェットボール１１４が制御溝１０２ｄ−１および１０２ｄ−２と係合することにより、ラチェットディスク１１１が回転される都度、シリンダ錠１００を開錠するユーザに、鍵を介してクリック感が伝わるように構成されている。
【００３４】
また、ここでは図示されていないがスイッチケース１０２の後部内側の面には、凸部が設けられており、その凸部が、ラチェットディスク１１１の後部（図中凸部１１１ａの反対側）の凸部の一面と当接することにより、ラチェットディスク１１１の回動を停止させるように構成されている。
【００３５】
図４は、内周シリンダ１０３の構成を示す斜視図である。同図において、開閉プレート１３１−１乃至１３１−５のそれぞれは、その内周シリンダ１０３に対する位置によって、内周シリンダ１０３の回動を可能にするか、または回動を抑制するように動作する。開閉プレート１３１−１乃至１３１−５はそれぞれ、係合穴によってタンブラプレート１３３−１乃至１３３−５と係合する。
【００３６】
例えば、開閉プレート１３１−１の図中上部には、３つの穴により構成される係合穴１３１−１ａが設けられており、図中下部には、やはり３つの穴で構成される係合穴１３１−１ｂが設けられている。一方、タンブラプレート１３３−１には、係合穴１３１−１ａのいずれか１つの穴に係合する径をもつ係合ピン１３３−１ｂ、および係合穴１３１−１ｂのいずれか１つの穴に係合する径をもつ係合ピン１３３−１ｃが設けられている。
【００３７】
従って、係合ピン１３３−１ｂおよび係合ピン１３３−１ｃが、それぞれ係合穴１３１−１ａおよび係合穴１３１−１ｂのいずれか１つの穴に係合することにより、開閉プレート１３１−１とタンブラプレート１３３−１が係合する。そして、開閉プレート１３１−１とタンブラプレート１３３−１が係合することにより、開閉プレート１３１−１とタンブラプレート１３３−１の図中上下方向の位置が決まる。ここで上下方向とは、内周シリンダ１０３において鍵が挿入される方向と直交する方向であって、開閉プレート１３１−１において係合穴１３１−１ａまたは係合穴１３１−１ｂで示される３つの穴が並べられる方向である。
【００３８】
この例では、係合穴１３１−１ａおよび係合穴１３１−１ｂはそれぞれ３つの穴により構成されているので、開閉プレート１３１−１とタンブラプレート１３３−１の図中上下方向の位置は、３通りのうちのいずれかとなる。
【００３９】
ここでは、開閉プレート１３１−１とタンブラプレート１３３−１の係合について説明したが、他の開閉プレートとタンブラプレートも開閉プレート１３１−１とタンブラプレート１３３−１の場合と同様に係合する。シリンダ錠１００においては、このように、開閉プレートとタンブラプレートの図中上下方向の位置が決まることによって、キーコードが決められることになる。すなわち、開閉プレート１３１−１乃至１３１−５とタンブラプレート１３３−１乃至１３３−５をそれぞれ係合させることにより、２４３通り（＝３5）のキーコードが設定可能となる。
【００４０】
開閉プレート用バネ１３２−１乃至１３２−５のそれぞれは、一方の端部が開閉プレート１３１−１乃至１３１−５に当接し、他方の端部がバネカバー１３５に当接するように設けられている。そして、開閉プレート１３１−１乃至１３１−５を、シリンダ錠１００に挿入された鍵の位置決め面に当接するように付勢する。
【００４１】
開閉プレート１３１−２１乃至１３１−２５、タンブラプレート１３３−２１乃至１３３−２５、および開閉プレート用バネ１３２−２１乃至１３２−２５のそれぞれは、開閉プレート１３１−１乃至１３１−５、タンブラプレート１３３−１乃至１３３−５、および開閉プレート用バネ１３２−１乃至１３２−５と同様の構成とされ、内周シリンダ１０３の鍵穴１０３ａを中心として、開閉プレート１３１−１乃至１３１−５、タンブラプレート１３３−１乃至１３３−５、および開閉プレート用バネ１３２−１乃至１３２−５と向かい合うように取り付けられる。
【００４２】
すなわち、開閉プレート１３１−２１乃至１３１−２５、タンブラプレート１３３−２１乃至１３３−２５、および開閉プレート用バネ１３２−２１乃至１３２−２５のそれぞれは、開閉プレート１３１−１乃至１３１−５、タンブラプレート１３３−１乃至１３３−５、および開閉プレート用バネ１３２−１乃至１３２−５と、鍵穴１０３ａの中心位置において線対称となる位置に設けられている。つまり、内周シリンダ１０３の鍵穴１０３ａの左右両側の開閉プレートとタンブラプレートのそれぞれは、内周シリンダ１０３の回転軸を通る上下方向の線分に関して対称となる位置に取り付けられている。
【００４３】
したがって、シリンダ錠１００においては、開閉プレート１３１−１乃至１３１−５とタンブラプレート１３３−１乃至１３３−５をそれぞれ係合させ、さらに開閉プレート１３１−２１乃至１３１−２５とタンブラプレート１３３−２１乃至１３３−２５をそれぞれ係合させることにより、５９０４９通り（＝３10）のキーコードが設定可能となる。
【００４４】
例えば、従来のシリンダ錠のように、開閉プレートとタンブラプレートが、シリンダ錠の奥行方向に一列に並べられて構成されている場合、キーコードを増やそうとすると、開閉プレートとタンブラプレートをシリンダ錠の奥行にさらに追加する必要があり、その結果、シリンダ錠の奥行方向の長さがさらに長くなってしまうが、本発明のシリンダ錠１００においては、開閉プレート１３１−２１乃至１３１−２５、タンブラプレート１３３−２１乃至１３３−２５、および開閉プレート用バネ１３２−２１乃至１３２−２５のそれぞれが、開閉プレート１３１−１乃至１３１−５、タンブラプレート１３３−１乃至１３３−５、および開閉プレート用バネ１３２−１乃至１３２−５と鍵穴１０３ａの中心位置において線対称となる位置に取り付けられるので、シリンダ錠の大きさ（長さ）を変えることなく、キーコードを増やすことが可能となる。
【００４５】
開閉プレート１３１−１乃至１３１−５および１３１−２１乃至１３１−２５、並びに開閉プレート用バネ１３２−１乃至１３２−５および１３１−２１乃至１３１−２５は、それぞれ、内周シリンダ１０３の中央に装着されるタンブラガイド１６１に挿入されて取り付けられる。タンブラガイド１６１は、鍵穴１０３ａの位置を中心として両側に、開閉プレート用バネ１３２−１乃至１３２−５および１３１−２１乃至１３１−２５が挿入される穴が（片側５個ずつ１０個）設けられており、開閉プレート用バネ１３２−１乃至１３２−５が挿入される各穴と、開閉プレート用バネ１３２−２１乃至１３２−２５が挿入される各穴とが、それぞれシリンダ錠１００の奥行方向（鍵の挿入方向）にずれた位置に設けられている。
【００４６】
このようにすることで、後述するようにサイドバー１５１−１と１５１−２が鍵の挿入方向に移動した場合（リセットの場合）に必要となる奥行方向の長さを短くすることが可能となる。
【００４７】
バネカバー１３５の孔１３５ａと１３５bには、ビスが挿入され、タンブラガイド１６１とバネカバー１３５が固定され、さらにバネカバー１３５が、内周シリンダ１０３にカシメられて固定される。
【００４８】
サイドバー１５１−１は、サイドバー用バネ１５２−１および１５２−２によって、外周シリンダ１０１の内面に押圧される。サイドバー１５１−１または１５１−２は、外周シリンダ１０１の内面に設けられた凹部と噛み合うか、またはその噛み合いが外れることにより、外周シリンダ１０１に対する内周シリンダ１０３の回動を規制する。
【００４９】
サイドバー１５１−１は、内周シリンダ１０３に設けられたサイドバー用孔に沿って、鍵の挿入方向と直交する方向に移動可能な構造とされている。シリンダ錠１００が開錠可能となる状態においては、サイドバー１５１−１の一部がタンブラプレート１３３−１乃至１３３−５の凹部１３３−１ａ乃至１３３−５ａ（ここでは、１３３−１ａのみ図示）に嵌合することにより、サイドバー１５１−１が鍵の挿入方向と直交する方向であって、シリンダ錠１００の内側方向（内周シリンダ１０３の回転軸に近づく方向）に移動する。その結果、外周シリンダ１０１の内面に設けられた凹部とサイドバー１５１−１との嵌合が解除され、内周シリンダ１０３は回動可能となる。
【００５０】
一方、シリンダ錠１００が施錠された状態においては、サイドバー１５１−１は、１３３−１乃至１３３−５いずれかの、凹部１３３−１ａ乃至１３３−５ａ以外の側面に当接するので、サイドバー１５１−１は、鍵の挿入方向と直交する方向であって、シリンダ錠１００の内側方向に移動できず、その結果、外周シリンダ１０１の内面に設けられた凹部とサイドバー１５１−１との嵌合は解除されず、内周シリンダ１０３は回動不可能となる。
【００５１】
なお、サイドバー１５１−１は、サイドバー用バネ１５２−１および１５２−２により、通常、鍵の挿入方向と直交する方向であって、シリンダ錠１００の外側方向、すなわち外周シリンダ１０１の内面に設けられた凹部と嵌合する方向に付勢されている。
【００５２】
また、サイドバー１５１−１は、内周シリンダ１０３に設けられたサイドバー用孔に沿って、鍵の挿入方向に移動可能な構造とされている。シリンダ錠１００のキーコードをリセットする状態においては、サイドバー１５１−１が鍵の挿入方向であって、シリンダ錠１００の後方（スイッチケース１０２側）に移動する。その結果、サイドバー１５１−１の移動に伴って、タンブラプレート１３３−１乃至１３３−５も鍵の挿入方向に移動し、開閉プレート１３１−１乃至１３１−５とタンブラプレート１３３−１乃至１３３−５との係合がそれぞれ解除されることでキーコードがリセットされる。
【００５３】
なお、サイドバー１５１−１は、サイドバー用バネ１５２−３により、通常、鍵の挿入方向であって、シリンダ錠１００の後方（スイッチケース１０２側）に付勢されており、後述する外周シリンダ１０１の正面裏側の形状と、スイッチケース１０２の前端面の形状に従って鍵の挿入方向に移動する。
【００５４】
ここでは、サイドバー１５１−１の動作について説明したが、サイドバー１５１−２についても同様に動作する。ただし、サイドバー１５１−２の場合、シリンダ錠１００のキーコードをリセットするときの移動方向がサイドバー１５１−１の場合と異なる。すなわち、サイドバー１５１−２は、サイドバー用バネ１５２−１３により、通常、鍵の挿入方向であって、シリンダ錠１００の前方に付勢されており、シリンダ錠１００のキーコードをリセットする状態においては、サイドバー１５１−１が鍵の挿入方向であって、シリンダ錠１００の前方に移動し、その結果、開閉プレート１３１−２１乃至１３１−２５とタンブラプレート１３３−２１乃至１３３−２５との係合がそれぞれ解除されることでキーコードがリセットされる。
【００５５】
次に、シリンダ錠１００を開錠または施錠する鍵について説明する。図５は、シリンダ錠１００を開錠または施錠する鍵１９０の外観を示す斜視図であり、図６は、鍵１９０を図５の反対側からみた斜視図である。図５と図６に示されるように、鍵１９０の挿入部１９１の両面に、溝１９１ａまたは１９１ｂが設けられている。溝１９１ａには上述した開閉プレート１３１−１乃至１３１−５のそれぞれの一部が挿入され、溝１９１ａの形状に従って、開閉プレート１３１−１乃至１３１−５の上下方向の位置が定まることになる。同様に、溝１９１ｂには開閉プレート１３１−２１乃至１３１−２５のそれぞれの一部が挿入され、溝１９１ｂの形状に従って、開閉プレート１３１−１乃至１３１−５の上下方向の位置が定まることになる。
【００５６】
図７乃至図９を参照してさらに詳細に説明する。図７に示されるように、溝１９１ｂ（１９１ａも同様）は、挿入部１９１の先端部において、図中縦方向の幅が広くなるように構成されており、挿入部１９１が鍵穴１０３ａに挿入されたとき、開閉プレート１３１−２１の凸部１３１−２１ｅが溝１９１ｂにくわえ込まれるようにして挿入される。そして鍵１９０（挿入部１９１）がより深く挿入されるのに伴い、凸部１３１−２１ｅが溝１９１ｂに挿入されたまま、溝１９１ｂの形状に沿って上下方向に移動するので、開閉プレート１３１−２１が上下方向に移動する。
【００５７】
図８は、凸部１３１−２１ｅが溝１９１ｂの所定の位置にある状態の、挿入部１９１の断面図であり、図９は、図８の図中円で囲まれた部分を拡大した図である。
【００５８】
図９に示されるように、溝１９１ｂは、挿入部１９１の先端部において図中縦方向の幅が広く構成されているが、それ以外の部分では、図中縦方向の幅が凸部１３１−２１ｅの幅とほぼ同等となるように構成されている。これにより、凸部１３１−２１ｅは、溝１９１ｂの図中上下の面に当接して上下方向に移動し、開閉プレート１３１−２１の上下方向の位置が変化する。そして、鍵１９０が完全にシリンダ錠１００に挿入されたとき、溝１９１ｂの予め設定された所定の位置において、凸部１３１−２１ｅの上下方向の位置が定まり、開閉プレート１３１−２１が鍵１９０のキーコードに対応する位置に移動させられることになる。
【００５９】
なお、実際には、鍵１９０が完全にシリンダ錠１００に挿入されたとき、開閉プレート１３１−２１の凸部１３１−２１ｅは、溝１９１ｂにおいて図示された位置よりもやや右側に位置することになる。
【００６０】
ここでは、開閉プレート１３１−２１を例として説明したが、開閉プレート１３１−２２乃至１３１−２５も同様にして上下方向の位置が定まる。また、溝１９１ｂの裏側の溝１９１ａにおいても同様に開閉プレート１３１−１乃至１３１−５の上下方向の位置が定まる。
【００６１】
このように、シリンダ錠１００を開錠または施錠する鍵１９０においては、溝１９１ａと溝１９１ｂのそれぞれの形状がキーコードとなる。
【００６２】
次に、シリンダ錠１００が開錠される仕組みについて説明する。図１０は、鍵が挿入されていない状態（すなわち施錠されている状態）のシリンダ錠１００の外観を示す図であり、図１１は、図１０の平面Ａにおけるシリンダ錠１００の断面図である。
【００６３】
図１２は、図１１の円Ａで囲まれた部分を拡大した図であり、図１３は、図１１の円Ｂで囲まれた部分を拡大した図である。図１２に示されるように、タンブラプレート１３３−２１と開閉プレート１３１−２１は、上述したように係合ピン１３３−２１ｂ（または係合ピン１３３−２１ｃ）が、係合穴１３１−２１ａ（または係合穴１３１−２１ｂ）に係合している。また、図１３に示されるように、タンブラプレート１３３−１と開閉プレート１３１−１は、上述したように係合ピン１３３−２１ｂ（または係合ピン１３３−２１ｃ）が、係合穴１３１−２１ａ（または係合穴１３１−２１ｂ）に係合している。
【００６４】
図１４は、鍵が挿入されていない状態（すなわち施錠されている状態）のシリンダ錠１００の正面図であり、図１５は、図１４の状態のシリンダ錠１００を、所定の奥行方向の位置において切断した状態の断面図である。
【００６５】
図１５に示されるように、鍵が挿入されていない状態においては、開閉プレート１３１−１または１３１−２１は、開閉プレート用バネ１３２−１または１３２−２１により図中下方向に付勢されて下側に位置している。
【００６６】
この状態において、開閉プレート用バネ１３２−１または１３２−２１の上下方向の位置に伴って位置が定まるタンブラプレート１３３−１または１３３−２１も下側に位置しており、タンブラプレート１３３−１の凹部１３３−１ａは、サイドバー１５１−１の凸部１５１−１ａと図中上下方向の位置が一致しておらず、また、タンブラプレート１３３−２１の凹部１３３−２１ａは、サイドバー１５１−２の凸部１５１−２ａと図中上下方向の位置が一致していない。
【００６７】
また、この状態では、サイドバー１５１−１は、外周シリンダ１０１の内面に設けられた凹部１０１ｄ−１と嵌合しており、また、サイドバー１５１−２は、外周シリンダ１０１の内面に設けられた凹部１０１ｄ−２と嵌合しており、内周シリンダ１０３を回動させることはできない。
【００６８】
図１６に示されるように、シリンダ錠１００に鍵１９０（シリンダ錠１００を開錠できる正規の鍵）が挿入された場合、シリンダ錠１００の内部の各部の状態は、図１５に示される状態から図１７に示されるように変化する。
【００６９】
図１７は、図１５と同じ所定の奥行方向の位置におけるシリンダ錠１００の断面図であり、鍵１９０がシリンダ錠１００に挿入されている場合の断面図である。
【００７０】
同図においては、図７乃至図９を参照して上述したように、鍵１９０の挿入部１９１の両面に設けられた溝１９１ａまたは１９１ｂに開閉プレートの凸部１３１−１ｅまたは１３１−２１ｅが挿入された状態とされている。これにより、開閉プレート１３１−１または１３１−２１とともに、タンブラプレート１３３−１または１３３−２１が図中上下方向に移動する。いまの場合、図１５に示される状態と比較して、タンブラプレート１３３−１または１３３−２１が上側に移動しており、その結果、タンブラプレート１３３−１の凹部１３３−１ａは、サイドバー１５１−１の凸部１５１−１ａと図中上下方向の位置が一致し、また、タンブラプレート１３３−２１の凹部１３３−２１ａは、サイドバー１５１−２の凸部１５１−２ａと図中上下方向の位置が一致している。
【００７１】
なお、ここでは、タンブラプレート１３３−１と、タンブラプレート１３３−２１についてのみ説明したが、正規の鍵が挿入された場合、タンブラプレート１３３−２乃至１３３−５またはタンブラプレート１３３−２２乃至１３３−２５についても、凹部１３３−２ａ乃至１３３−５ａまたは凹部１３３−２２a乃至１３３−２５ａが、サイドバー１５１−１の凸部１５１−１ａまたはサイドバー１５１−２の凸部１５１−２ａと図中上下方向の位置がそれぞれ一致することになる。すなわち、正規の鍵のキーコードは、シリンダ錠１００に設定されているキーコードと一致するので、全てのタンブラプレートの凹部の位置がサイドバーの凸部の位置と一致するように移動される。
【００７２】
この状態であれば、サイドバー１５１−１の凸部１５１−１ａを、タンブラプレート１３３−１乃至１３３−５の凹部１３３−１ａ乃至１３３−５ａに嵌合させることにより、サイドバー１５１−１を鍵の挿入方向と直交する方向であって、シリンダ錠１００の内側方向（図中左側）に移動させることが可能となる。また、サイドバー１５１−２の凸部１５１−２ａを、タンブラプレート１３３−２１乃至１３３−２５の凹部１３３−２１ａ乃至１３３−２５ａに嵌合させることにより、サイドバー１５１−２を鍵の挿入方向と直交する方向であって、シリンダ錠１００の内側方向（図中右側）に移動させることが可能となる。
【００７３】
図１６に示される状態から、図１８に示されるように鍵１９０が回動させると、シリンダ錠１００の内部の各部の状態は、図１７に示される状態から図１９に示されるように変化する。
【００７４】
図１９は、図１７（または図１５）と同じ所定の奥行方向の位置におけるシリンダ錠１００の断面図であり、鍵１９０が回動されている場合の断面図である。正規の鍵が挿入された場合、上述したように、全てのタンブラプレートの凹部の位置がサイドバーの凸部の位置と一致するように移動されるので、サイドバー１５１−１およびサイドバー１５１−２をシリンダ錠１００の内側方向に付勢すれば、サイドバー１５１−１およびサイドバー１５１−２が鍵の挿入方向と直交する方向であって、シリンダ錠１００の内側方向に移動して、外周シリンダ１０１の内面に設けられた凹部１０１ｄ−１および１０１ｄ−２との嵌合が解除され、内周シリンダ１０３が回動可能となる。
【００７５】
すなわち、鍵１９０が回動させられると、それに伴って、内周シリンダ１０３も回動され、このとき、凹部１０１ｄ−１または１０１ｄ−２の形状に沿って、サイドバー１５１−１およびサイドバー１５１−２がシリンダ錠１００の内側方向に付勢されることになる。これにより、図１９に示されるように内周シリンダ１０３が回動され、シリンダ錠１００が開錠される。
【００７６】
図２０は、シリンダ錠１００に挿入される鍵１９０の回転を説明する図である。図２０ｂは、シリンダ錠１００に鍵１９０が挿入された状態の正面図であり、初期状態の図である。シリンダ錠１００を開錠する場合、図２０ｂに示される状態から、図中右方向（時計回り）に鍵１９０を回転させる。そして、鍵１９０が時計回りに９０°回転させられ、図２０ｃに示される状態となったとき、シリンダ錠１００が開錠される。すなわち、スイッチケース１０２の後部に設けられたコネクタ１０２ａからシリンダ錠１００が開錠されたことを表す電気的信号が出力される。
【００７７】
一方、シリンダ錠１００に設定されているキーコードをリセットする（適宜、シリンダ錠１００をリセットするという）場合、図２０ｂに示される状態から、図中左方向（反時計回り）に鍵１９０を回転させる。そして、鍵１９０が反時計回りに１５０°回転させられ、図２０ａに示される状態となったとき、シリンダ錠１００がリセットされる。すなわち、新たなキーコードを設定することが可能な状態となる。
【００７８】
次に、シリンダ錠１００に設定されたキーコードのリセットについて説明する。
【００７９】
図２１は、シリンダ錠１００の縦断面図であり、シリンダ錠１００がリセットされていない状態の図である。図２２は、図２１の図中円で囲まれた部分を拡大した図である。
【００８０】
シリンダ錠１００がリセットされていない状態においては、図２２に示されるように、タンブラプレート１３３−２３と開閉プレート１３１−２３は、上述したように係合ピン１３３−２３ｂ（または係合ピン１３３−２３ｃ）が、係合穴１３１−２３ａ（または係合穴１３１−２３ｂ）に係合しており、互いに当接している。同様に、他のタンブラプレートと開閉プレートも、係合ピンが係合穴に係合し、互いに当接した状態となっている。
【００８１】
図２３は、シリンダ錠１００の縦断面図であり、シリンダ錠１００がリセットされている状態の図である。図２４は、図２３の図中円で囲まれた部分を拡大した図である。
【００８２】
シリンダ錠１００がリセットされている状態においては、図２４に示されるように、タンブラプレート１３３−３と開閉プレート１３１−３は、互いに離れた（当接しない）位置にあり、係合ピン１３３−３ｂ（または係合ピン１３３−３ｃ）と、係合穴１３１−３ａ（または係合穴１３１−３ｂ）の係合は解除されている。
【００８３】
すなわち、図２３のサイドバー１５１−２は、図２１の場合と比較して、鍵の挿入方向（と平行な方向）であって、シリンダ錠１００の前方（図中下方向）に移動しており、サイドバー１５１−２の移動に伴って、タンブラプレート１３３−３も図２２に示される位置から、図２４に示される鍵の挿入方向（と平行な方向）であって、シリンダ錠１００の前方（図中下方向）の位置に移動したことで、係合ピン１３３−３ｂまたは係合ピン１３３−３ｃと、係合穴１３１−３ａまたは係合穴１３１−３ｂの係合が解除されることになる。
【００８４】
同様に、他のタンブラプレートと開閉プレートも、互いに離れた位置にあり、係合ピンと係合穴の係合が解除された状態となっている。
【００８５】
図２５乃至図２７を参照してさらに詳しく説明する。
【００８６】
図２５ａは、リセットが開始された状態、すなわち、シリンダ錠１００に正規の鍵が挿入されて、反時計回りに回転され始めた状態のシリンダ錠１００の正面図である。図２５ｂは、図２５ａに示された状態のときの、シリンダ錠１００の内部の状態を説明する図であり、ここでは、分かり易くするため、シリンダ錠１００の外周シリンダ１０１の一部と、内周シリンダ１０３などが仮想的に取り外された状態が示されている。図２５ｃは、図２５ｂに示されるシリンダ錠１００を別の角度から見た図である。
【００８７】
図２５ｂと図２５ｃに示されるように、この状態では、タンブラプレート１３３−２２と開閉プレート１３１−２２は互いに当接しており、また、タンブラプレート１３３−４と開閉プレート１３１−４も互いに当接している。
【００８８】
タンブラプレート１３３−４は、サイドバー１５１−１の一部に嵌合しており、サイドバー１５１−１の鍵の挿入方向の移動に伴って移動するように構成されている。タンブラプレート１３３−２２は、サイドバー１５１−２の一部に嵌合しており、サイドバー１５１−２の鍵の挿入方向の移動に伴って移動するように構成されている。
【００８９】
なお、同図では、タンブラプレート１３３−２２と開閉プレート１３１−２２、およびタンブラプレート１３３−４と開閉プレート１３１−４のみが示されているが、他のタンブラプレートと開閉プレートも同様に動作する。
【００９０】
図２６ａは、リセットの途中の状態であって、図２５ａに示される状態から鍵が反時計回りにさらに回転された状態のシリンダ錠１００の正面図である。図２６ｂと図２６ｃは、図２６ａに示された状態のときの、シリンダ錠１００の内部の状態を説明する図であり、それぞれ図２５ｂと、図２５ｃに対応する図である。
【００９１】
鍵の回転に伴って内周シリンダ１０３が回動するとき、サイドバー１５１−１と１５１−２は、前方（図中左側）の端部を、外周シリンダ１０１の正面の裏側の面に当接させながら移動するとともに、後方（図中右側）の端部を、スイッチケース１０２の前端面（内周シリンダ１０３と当接する面）に当接させながら移動することになる。
【００９２】
図２８ａは、スイッチケース１０２の外観を示す図であり、図２８ｂは、図２８ａに示されるスイッチケース１０２を別の角度から見た図である。図２８ａと図２８ｂに示されるように、スイッチケース１０２の前端面（内周シリンダ１０３と当接する面）は、その位置によって、形状が異なっており、内周シリンダの回動に伴ってサイドバー１５１−１が移動するとき、サイドバー１５１−１の後端部が当接する位置に穴１０２ｆが設けられている。
【００９３】
また、図２８ａと図２８ｂに示されるように、スイッチケース１０２の前端面には、内周シリンダの回動に伴ってサイドバー１５１−２が移動するとき、サイドバー１５１−２の後端部が当接する位置に傾斜１０２ｇが設けられている。
【００９４】
図２９ａは、外周シリンダ１０１の外観を示す図であり、図２９ｂは、図２９ａに示される外周シリンダを別の角度から見た図である。図２９ｃと図２９ｄは、外周シリンダ１０１の正面裏側の面の構成を説明する図であり、分かり易くするため、それぞれ仮想的に図２９ａと図２９ｂの外周シリンダ１０１の円筒部分が取り除かれた状態の図とされている。図２９ｃと図２９ｄに示されるように、外周シリンダ１０１の正面裏側の面は、その位置によって、形状が異なっており、内周シリンダの回動に伴ってサイドバー１５１−１が移動するとき、サイドバー１５１−１の前端部が当接する位置に傾斜１０１ｇが設けられている。
【００９５】
また、図２９ｃと図２９ｄに示されるように、外周シリンダ１０１の正面裏側には、内周シリンダの回動に伴ってサイドバー１５１−２が移動するとき、サイドバー１５１−２の後端部が当接する位置に穴１０１ｆが設けられている。
【００９６】
すなわち、図２６ｂに示される状態から内周シリンダ１０３（鍵）がさらに反時計回りに回動されると、サイドバー１５１−１の前端部が図２９ｃの傾斜１０１ｇを図２９中左から右に向かって移動し、序々にサイドバー１５１−１を、鍵の挿入方向であってシリンダ錠の後方へ押圧する。そして、サイドバー１５１−１の後端部が図２８ａの穴１０２ｆと同じ位置まで移動したとき、サイドバー１５１−１の前端部が穴１０２ｆに挿入されて、サイドバー１５１−１が、鍵の挿入方向であってシリンダ錠の後方へ移動する。
【００９７】
また、図２６ｃに示される状態から内周シリンダ１０３（鍵）がさらに反時計回りに回動されると、サイドバー１５１−２の後端部が図２８ｂの傾斜１０２ｇを図２８ｂ中下から上に向かって移動し、序々にサイドバー１５１−２を、鍵の挿入方向であってシリンダ錠の前方へ押圧する。そして、サイドバー１５１−２の前端部が図２９ｄの穴１０１ｆと同じ位置まで移動したとき、サイドバー１５１−２の後端部が穴１０１ｆに挿入されて、サイドバー１５１−２が、鍵の挿入方向であってシリンダ錠の前方へ移動する。
【００９８】
図２７ａは、リセットが完了した状態であって、図２６ａに示される状態から鍵が反時計回りにさらに回転された状態のシリンダ錠１００の正面図である。図２７ｂと図２７ｃは、図２７ａに示された状態のときの、シリンダ錠１００の内部の状態を説明する図であり、それぞれ図２５ｂと、図２５ｃに対応する図である。
【００９９】
図２７ｂと図２７ｃに示されるように、サイドバー１５１−１は、上述したように鍵の挿入方向であってシリンダ錠の後方へ移動しており、サイドバー１５１−２は、上述したように鍵の挿入方向であってシリンダ錠の前方へ移動している。なお、図中矢印でサイドバー１５１−１または１５１−２の移動の方向が示されている。
【０１００】
また、サイドバー１５１−１とサイドバー１５１−２の鍵の挿入方向の移動に伴って、タンブラプレート１３３−４とタンブラプレート１３３−２２も、鍵の挿入方向の移動している。これにより、タンブラプレート１３３−２２と開閉プレート１３１−２２は互いに離れて（当接しないで）位置し、また、タンブラプレート１３３−４と開閉プレート１３１−４も互いに離れて（当接しないで）位置することになり、図２３と図２４を参照して上述したように、シリンダ錠１００がリセットされた状態となる。
【０１０１】
図２７ａ乃至図２７ｃに示されるようなリセットが完了した状態で、新たな鍵を挿入し、内周シリンダ１０３（鍵）を時計回りに回動させると、係合が解除されていた各タンブラプレートの係合ピンと、各開閉プレートの係合穴が、新たな鍵のキーコードに対応する位置で再び係合する。その結果、シリンダ錠１００に新たなキーコードを設定することができる。
【０１０２】
ところで、図５と図６を参照して上述したような鍵１９０は、挿入部１９１の両面にキーコードを特定するための溝１９１ａと１９１ｂが設けられているが、キーコードを増やすためには、当然のことながら溝１９１ａの形状と１９１ｂの形状は互いに異なるものとなる。このような、鍵１９０は、シリンダ錠１００に挿入するとき、溝１９１ａと１９１ｂをそれぞれ鍵穴１０３ａの長手方向（鍵の挿入方向）に対して左右のどちらに向けるかが予め定められていることになり、溝１９１ａと１９１ｂの鍵の挿入方向に対しての向きを誤って挿入すると、シリンダ錠１００を開錠したりリセットしたりすることができない。
【０１０３】
このため、鍵１９０には、溝１９１ａと１９１ｂの鍵の挿入方向に対しての向きを誤って挿入されることが抑止されるように、挿入部の後端部分に切り込み１９２が設けられている。鍵１９０がシリンダ錠１００に挿入されて回転させられるとき、切り込み１９２が外周シリンダ１０１の前端部をくわえるようにして回動される。
【０１０４】
しかしながら、ユーザが、溝１９１ａと１９１ｂをそれぞれ鍵穴１０３ａの長手方向に対して左右のどちらに向けるかを、正確に覚えることは非常に困難である。
【０１０５】
そこで、鍵１９０に代えて、図３０と図３１に示されるような鍵２１０が用いられるようにすることも可能である。
【０１０６】
図３０は、シリンダ錠１００を開錠または施錠する鍵２１０の外観を示す斜視図であり、図３１は、鍵２１０を図３０の反対側からみた斜視図である。図３０と図３１に示されるように、鍵２１０の挿入部２１１の両面に、突起２１１ａまたは２１１ｂが設けられている。突起２１１ａの図中上側の面には開閉プレート１３１−１乃至１３１−５のそれぞれの一部が当接し、突起２１１ａの上側の面の形状に従って、開閉プレート１３１−１乃至１３１−５の上下方向の位置が定まることになる。同様に、突起２１１ｂの上側の面には開閉プレート１３１−２１乃至１３１−２５のそれぞれの一部が当接し、突起２１１ｂの上側の面の形状に従って、開閉プレート１３１−１乃至１３１−５の上下方向の位置が定まることになる。
【０１０７】
また、突起２１１ａの図中下側の面の形状は、突起２１１ｂの図中上側の面の形状と一致するように構成されており、突起２１１ｂの図中下側の面の形状は、突起２１１ａの図中上側の面の形状と一致するように構成されている。
【０１０８】
図３２乃至図３４を参照してさらに詳細に説明する。図３２に示されるように、突起２１１ｂ（２１１ａも同様）は、挿入部２１１の先端部において、図中縦方向の幅が狭くなるように構成されており、挿入部２１１が鍵穴１０３ａに挿入されたとき、開閉プレート１３１−２１の凸部１３１−２１ｅが突起２１１ｂの上側の面に乗るようにして当接する。そして鍵２１０（挿入部２１１）がより深く挿入されるのに伴い、凸部１３１−２１ｅが突起２１１ｂの上側の面の形状に沿って上下方向に移動するので、開閉プレート１３１−２１が上下方向に移動する。
【０１０９】
図３３は、凸部１３１−２１ｅが突起２１１ｂの所定の位置にある状態の、挿入部２１１の断面図であり、図３４は、図３３の図中円で囲まれた部分を拡大した図である。
【０１１０】
いまの場合、図７乃至図９を参照して上述した場合と異なり、開閉プレート１３１−２１の凸部１３１−２１ｅの図中縦方向の厚み（幅）がより細くなるように構成されており、凸部１３１−２１ｅは、突起２１１ｂの上側の面のみに当接して上下方向に移動し、開閉プレート１３１−２１の上下方向の位置が定まる。
【０１１１】
ここでは、開閉プレート１３１−２１を例として説明したが、開閉プレート１３１−２２乃至１３１−２５も同様にして上下方向の位置が定まる。また、突起２１１ｂの裏側の突起２１１ａにおいても同様に開閉プレート１３１−１乃至１３１−５の上下方向の位置が定まる。
【０１１２】
このように、シリンダ錠１００を開錠または施錠する鍵２１０においては、突起２１１ａと突起２１１ｂの形状がキーコードとなる。ただし、鍵１９０の場合と異なり、鍵２１０の場合、鍵が挿入されたとき、突起２１１ａと突起２１１ｂのそれぞれ上側の面のみによりキーコードが特定されることになる。さらに上述したように、突起２１１ａの図中下側の面の形状は、突起２１１ｂの図中上側の面の形状と一致するように構成されており、突起２１１ｂの図中下側の面の形状は、突起２１１ａの図中上側の面の形状と一致するように構成されている。
【０１１３】
従って、鍵２１０においては、シリンダ錠１００に挿入するとき、突起２１１ａと２１１ｂをそれぞれ鍵の挿入方向に対して左右のどちらに向けるかが予め定められておらず、どちらに向けて挿入しても、シリンダ錠１００を開錠したりリセットしたりすることができる。すなわち、鍵２１０は、リバーシブルな鍵として構成されている。
【０１１４】
このため、鍵２１０には、鍵１９０の場合と異なり、挿入部の後端部分の図中上下両側に切り込み２１２が設けられている（図３０または図３１）。鍵２１０がシリンダ錠１００に挿入されて回転させられるとき、切り込み２１２が外周シリンダ１０１の前端部をくわえるようにして回動される。
【０１１５】
図３５は、鍵が挿入されていない状態（すなわち施錠されている状態）のシリンダ錠１００の正面図であり、図３６は、図３５の状態のシリンダ錠を、所定の奥行方向の位置において切断した状態の断面図である。
【０１１６】
図３５と図３６は、それぞれ図１４と図１５に対応する図であり、図３６に示されるように、鍵が挿入されていない状態においては、開閉プレート１３１−１または１３１−２１は、開閉プレート用バネ１３２−１または１３２−２１により図中下方向に付勢されて下側に位置している。しかし、図１５の場合と異なり、開閉プレート１３１−１の凸部１３１−１ｅと開閉プレート１３１−２１の凸部１３１−２１ｅとは、鍵穴１０３ａにおいて中央よりやや上に位置するようになされている。このようにすることで、凸部１３１−１ｅと凸部１３１−２１ｅ（他の凸部も同様）は、挿入部２１１が鍵穴１０３ａに挿入されたとき、突起２１１ａまたは２１１ｂの上側の面に乗るようにして当接する。
【０１１７】
図３７乃至図４０は、それぞれ図１６乃至図１９に対応する図であり、鍵２１０を用いた場合のシリンダ錠１００の開錠について説明する図である。シリンダ錠１００が開錠されるときのシリンダ錠１００の内部の各部の状態は、図１６乃至図１９を参照して上述した場合と同様なので、詳細な説明は省略する。
【０１１８】
ところで、従来のシリンダ錠に用いられる鍵には、例えば、挿入部に３段階の深さ（高さ）を有するすり鉢形状の孔として位置決め面を有する構成のものが多く用いられている。このような鍵を用いるシリンダ錠も多く普及しており、今後、本発明のシリンダ錠との互換性が求められることもあり得る。
【０１１９】
図４１は、挿入部にすり鉢形状の孔として位置決め面を有する構成の鍵２７０の外観を示す斜視図であり、図４２は、鍵２７０を図４１の反対側からみた斜視図である。図４１と図４２に示されるように、鍵２７０の挿入部２７１の図中上下両側に、位置決め面２７１ａと２７１ｂがそれぞれ設けられている。位置決め面２７１ａと２７１ｂにはそれぞれすり鉢形状の孔が複数（開閉プレートの数に対応する数）設けられている。
【０１２０】
例えば、従来のシリンダ錠の鍵との互換性を確保するため、鍵２７０を用いて開錠可能なシリンダ錠であって、シリンダ錠の大きさ（長さ）を変えることなく、キーコードを増やすことができるシリンダ錠を実現することも可能である。
【０１２１】
鍵２７０に対応するシリンダ錠の構成についての詳細は後述するが、鍵２７０に対応するシリンダ錠においては、図４３に示されるように、挿入部２７１の先端部は、図中縦方向の幅が狭くなるように構成されており、挿入部２７１が鍵穴に挿入されたとき、開閉プレート３３１−２１の凸部３３１−２１ｅが位置決め面２７１ｂに当接するようにする。そして鍵２７０（挿入部２７１）がより深く挿入されるのに伴い、凸部３３１−２１ｅが位置決め面２７１ｂに当接したまま、位置決め面２７１ｂの形状に沿って上下方向に移動するので、開閉プレート３３１−２１が上下方向に移動し、キーコードに対応する開閉プレート３３１−２１の上下方向の位置に移動されるようにすればよい。
【０１２２】
図４４は、凸部３３１−２１ｅが位置決め面２７１ｂの所定の位置にある状態の、挿入部２７１の断面図であり、図４５は、図４４の図中円で囲まれた部分を拡大した図である。
【０１２３】
図４５に示されるように、位置決め面２７１ｂには、すり鉢状の孔が設けられており、凸部３３１−２１ｅは、孔に落ちるように当接して上下方向に移動し、開閉プレート３３１−２１の上下方向の位置が定まる。
【０１２４】
ここでは、位置決め面２７１ｂによる開閉プレートの移動について説明したが、位置決め面２７１ｂの裏側の位置決め面ａにおいても同様に開閉プレートが移動するようにすれば、鍵２７０に対応するシリンダ錠であって、シリンダ錠の大きさ（長さ）を変えることなく、キーコードを増やすことが可能なシリンダ錠を実現することができる。
【０１２５】
図４６は、図４７を参照して後述するシリンダ錠３００に装着される内周シリンダ３０３の構成を示す斜視図である。内周シリンダ３０３は、図４１または図４２の鍵２７０に対応する内周シリンダであり、同図において、開閉プレート３３１−１乃至３３１−５のそれぞれは、その内周シリンダ３０３に対する位置によって、内周シリンダ３０３の回動を可能にするか、または回動を抑制するように動作する。開閉プレート３３１−１乃至３３１−５はそれぞれ、図４を参照して上述した場合と同様に係合穴によってタンブラプレート３３３−１乃至３３３−５と係合する。
【０１２６】
すなわち、各開閉プレートの図中上部と図中下部には、３つの穴で構成される係合穴が設けられている。一方、各タンブラプレートには、係合穴のいずれか１つの穴に係合する径をもつ係合ピンが設けられている。
【０１２７】
従って、係合ピンが、それぞれ係合穴のいずれか１つの穴に係合することにより、各開閉プレートと各タンブラプレートが係合し、開閉プレートとタンブラプレートが係合することにより、開閉プレートとタンブラプレートの図中上下方向の位置が決まる。なお、ここで上下方向とは、内周シリンダ３０３において鍵が挿入される方向と直交する方向であって、開閉プレート３３１−１において３つの係合穴が並べられる方向である。
【０１２８】
この例では、係合穴はそれぞれ３つの穴により構成されているので、開閉プレートとタンブラプレートの図中上下方向の位置は、３通りのうちのいずれかとなる。
【０１２９】
シリンダ錠３００においては、このように、開閉プレートとタンブラプレートの図中上下方向の位置が決まることによって、キーコードが決められることになる。すなわち、開閉プレート３３１−１乃至３３１−５とタンブラプレート３３３−１乃至３３３−５をそれぞれ係合させることにより、２４３通り（＝３5）のキーコードが設定可能となる。
【０１３０】
開閉プレート用バネ３３２−１乃至３３２−５のそれぞれは、一方の端部が開閉プレート３３１−１乃至３３１−５に当接し、他方の端部がバネカバー３３５に当接するように設けられている。そして、開閉プレート３３１−１乃至３３１−５を、シリンダ錠１００に挿入された鍵の位置決め面に当接させるように付勢する。
【０１３１】
開閉プレート３３１−２１乃至３３１−２５、タンブラプレート３３３−２１乃至３３３−２５、および開閉プレート用バネ３３２−２１乃至３３２−２５のそれぞれは、開閉プレート３３１−１乃至３３１−５、タンブラプレート３３３−１乃至３３３−５、および開閉プレート用バネ３３２−１乃至３３２−５と同様の構成とされ、内周シリンダ３０３の回転軸を中心として、開閉プレート３３１−１乃至３３１−５、タンブラプレート３３３−１乃至３３３−５、および開閉プレート用バネ３３２−１乃至３３２−５と点対称となるように取り付けられる。
【０１３２】
つまり、内周シリンダ３０３の鍵穴３０３ａの左右両側の開閉プレートとタンブラプレートのそれぞれは、内周シリンダ３０３の回転軸を通る点に関して対称となる位置に取り付けられている。
【０１３３】
したがって、シリンダ錠３００においては、開閉プレート３３１−１乃至３３１−５とタンブラプレート３３３−１乃至３３３−５をそれぞれ係合させ、さらに開閉プレート３３１−２１乃至３３１−２５とタンブラプレート３３３−２１乃至３３３−２５をそれぞれ係合させることにより、５９０４９通り（＝３10）のキーコードが設定可能となる。
【０１３４】
このように構成することで、例えば、従来のシリンダ錠で使用される鍵であっても、シリンダ錠３００を開錠またはリセットする鍵として利用することが可能になる。従来のシリンダ錠では、開閉プレートとタンブラプレートが、シリンダ錠の奥行方向に一列に並べられて構成されるため、従来のシリンダ錠で使用される鍵は、挿入部の両端の位置決め面がそれぞれ同じ形状とされている。このため、従来のシリンダ錠で使用される鍵を用いる場合、キーコードは、２４３通り（＝３5）となる。
【０１３５】
一方、鍵２７０のように、位置決め面２７１ａと２７１ｂをそれぞれ異なる形状とすることにより、シリンダ錠の大きさ（長さ）を変えることなく、キーコードを５００４９通り（＝３10）に増やすことが可能となる。
【０１３６】
開閉プレート３３１−１乃至３３１−５および３３１−２１乃至３３１−２５、並びに開閉プレート用バネ３３２−１乃至３３２−５および３３２−２１乃至３３２−２５は、それぞれ、内周シリンダ３０３の中央に設けられたタンブラガイドに挿入されて取り付けられる。
【０１３７】
バネカバー３３５の孔には、ビスが挿入され、タンブラガイドとバネカバー３３５が固定され、さらにバネカバー３３５が、内周シリンダ３０３にカシメられて固定される。
【０１３８】
２つのサイドバーは、図４を参照して上述した場合と同様に構成されている。すなわち、サイドバー３５１−１は、サイドバー用バネ３５２−１および３５２−２によって、後述する外周シリンダ３０１の内面に押圧される。サイドバー３５１は、外周シリンダ３０１の内面に設けられた凹部と噛み合うか、またはその噛み合いが外れることにより、外周シリンダ３０１に対する内周シリンダ３０３の回動を規制する。
【０１３９】
サイドバー３５１−１は、内周シリンダ３０３に設けられたサイドバー用孔に沿って、鍵の挿入方向と直交する方向に移動可能な構造とされている。シリンダ錠３００が開錠可能となる状態においては、サイドバー３５１−１の一部がタンブラプレート３３３−１乃至３３３−５のそれぞれの凹部に嵌合することにより、サイドバー３５１−１が鍵の挿入方向と直交する方向であって、シリンダ錠３００の内側方向に移動する。その結果、外周シリンダ３０１の内面に設けられた凹部とサイドバー３５１−１との嵌合が解除され、内周シリンダ３０３は回動可能となる。
【０１４０】
一方、シリンダ錠３００が施錠された状態においては、サイドバー３５１−１が、開閉プレート３３３−１乃至３３３−５いずれかにおいて凹部以外の側面に当接することにより、外周シリンダ３０１の内面に設けられた凹部とサイドバー３５１−１との嵌合は解除されず、内周シリンダ３０３は回動不可能となる。
【０１４１】
なお、サイドバー３５１−１は、サイドバー用バネ３５２−１および３５２−２により、通常、鍵の挿入方向と直交する方向であって、シリンダ錠３００の外側方向、すなわち外周シリンダ３０１の内面に設けられた凹部と嵌合する方向に付勢されている。
【０１４２】
また、サイドバー３５１−１は、内周シリンダ３０３に設けられたサイドバー用孔に沿って、鍵の挿入方向に移動可能な構造とされている。シリンダ錠３００のキーコードをリセットする状態においては、サイドバー３５１−１が鍵の挿入方向であって、シリンダ錠３００の後方に移動する。その結果、サイドバー３５１−１の移動に伴って、タンブラプレート３３３−１乃至３３３−５も鍵の挿入方向に移動し、開閉プレート３３１−１乃至３３１−５とタンブラプレート３３３−１乃至３３３−５との係合がそれぞれ解除されることでキーコードがリセットされる。
【０１４３】
なお、サイドバー３５１−１は、サイドバー用バネ３５２−３により、通常、鍵の挿入方向であって、シリンダ錠３００の後方（後述するスイッチケース３０２側）に付勢されている。
【０１４４】
ここでは、サイドバー３５１−１の動作について説明したが、サイドバー３５１−２についても同様に動作する。ただし、サイドバー３５１−２の場合、シリンダ錠３００のキーコードをリセットするときの移動方向がサイドバー３５１−１の場合と異なる。すなわち、サイドバー３５１−２は、サイドバー用バネ３５２−１３により、通常、鍵の挿入方向であって、シリンダ錠３００の前方に付勢されており、シリンダ錠３００のキーコードをリセットする状態においては、サイドバー３５１−２が鍵の挿入方向であって、シリンダ錠３００の前方に移動し、その結果、開閉プレート３３１−２１乃至３３１−２５とタンブラプレート３３３−２１乃至３３３−２５との係合がそれぞれ解除されることでキーコードがリセットされる。
【０１４５】
図４７は、本発明を適用した別のシリンダ錠であるシリンダ錠３００の構成を示す斜視図である。シリンダ錠３００は、図４１または図４２に示される鍵２７０に対応するシリンダ錠とされ、同図に示される外周シリンダ３０１乃至ラチェットボール３１４は、図３の外周シリンダ１０１乃至ラチェットボール１１４と同様なので詳細な説明は省略する。ただし、いまの場合、内周シリンダ３０３は、図４６を参照して上述した構成のものが用いられる。
【０１４６】
次に、シリンダ錠３００が開錠される仕組みについて説明する。図４８は、鍵が挿入されていない状態（すなわち施錠されている状態）のシリンダ錠３００の外観を示す図であり、図４９は、図４８の平面Ａにおけるシリンダ錠３００の断面図である。
【０１４７】
図５０は、図４９の図中円で囲まれた部分を拡大した図である。図５０に示されるように、タンブラプレート３３３−２と開閉プレート３３１−２とは、上述したように係合ピンと係合穴とで係合している。
【０１４８】
図５１は、鍵が挿入されていない状態（すなわち施錠されている状態）のシリンダ錠３００の正面図であり、図５２は、図５１の状態のシリンダ錠を、所定の奥行方向の位置において切断した状態の断面図である。
【０１４９】
図５２に示されるように、鍵が挿入されていない状態においては、開閉プレート３３１−１は、開閉プレート用バネ３３２−１により図中上方向に付勢されており、開閉プレート３３１−２１は、３３２−２１により図中下方向に付勢されている。
【０１５０】
この状態において、開閉プレート３３１−１の上下方向の位置に伴って位置が定まるタンブラプレート３３３−１は上側に位置しており、また、開閉プレート３３１−２１の上下方向の位置に伴って位置が定まるタンブラプレート３３３−２１は下側に位置している。そして、タンブラプレート３３３−１の凹部３３３−１ａは、サイドバー３５１−１の凸部３５１−１ａと図中上下方向の位置が一致しておらず、また、タンブラプレート３３３−２１の凹部３３３−２１ａは、サイドバー３５１−２の凸部３５１−２ａと図中上下方向の位置が一致していない。
【０１５１】
また、この状態では、サイドバー３５１−１は、外周シリンダ３０１の内面に設けられた凹部３０１ｄ−１と嵌合しており、また、サイドバー３５１−２は、外周シリンダ３０１の内面に設けられた凹部３０１ｄ−２と嵌合しており、内周シリンダ３０３を回動させることはできない。
【０１５２】
図５３に示されるように、シリンダ錠３００に鍵２７０（シリンダ錠３００を開錠できる正規の鍵）が挿入された場合、シリンダ錠３００の内部の各部の状態は、図５２に示される状態から図５４に示されるように変化する。
【０１５３】
図５４は、図５２と同じ所定の奥行方向の位置におけるシリンダ錠３００の断面図であり、鍵２７０がシリンダ錠に挿入されている場合の断面図である。
【０１５４】
同図においては、図４３乃至図４５を参照して上述したように、鍵２７０の挿入部２７１の上下両端の位置決め面２７１ａまたは２７１ｂの孔に開閉プレートの凸部３３１−１ｅまたは３３１−２１ｅが当接した状態とされている。これにより、開閉プレート３３１−１または３３１−２１とともに、タンブラプレート３３３−１または３３３−２１が図中上下方向に移動する。いまの場合、図５２に示される状態と比較して、タンブラプレート３３３−１は、図中下側に移動しており、タンブラプレート３３３−２１は、図中上側に移動している。その結果、タンブラプレート３３３−１の凹部３３３−１ａは、サイドバー３５１−１の凸部３５１−１ａと図中上下方向の位置が一致し、また、タンブラプレート３３３−２１の凹部３３３−２１ａは、サイドバー３５１−２の凸部３５１−２ａと図中上下方向の位置が一致している。
【０１５５】
なお、ここでは、タンブラプレート３３３−１と、タンブラプレート３３３−２１についてのみ説明したが、正規の鍵が挿入された場合、タンブラプレート３３３−２乃至３３３−５またはタンブラプレート３３３−２２乃至３３３−２５についても、凹部３３３−２ａ乃至３３３−５ａまたは凹部３３３−２２a乃至３３３−２５ａが、サイドバー３５１−１の凸部３５１−１ａまたはサイドバー３５１−２の凸部３５１−２ａと図中上下方向の位置がそれぞれ一致することになる。すなわち、正規の鍵のキーコードは、シリンダ錠３００に設定されているキーコードと一致するので、全てのタンブラプレートの凹部の位置がサイドバーの凸部の位置と一致するように移動される。
【０１５６】
この状態であれば、サイドバー３５１−１の凸部３５１−１ａを、タンブラプレート３３３−１乃至３３３−５の凹部３３３−１ａ乃至３３３−５ａに嵌合させることにより、サイドバー３５１−１を鍵の挿入方向と直交する方向であって、シリンダ錠３００の内側方向（図中左側）に移動させることが可能となる。また、サイドバー３５１−２の凸部３５１−２ａを、タンブラプレート３３３−２１乃至３３３−２５の凹部３３３−２１ａ乃至３３３−２５ａに嵌合させることにより、サイドバー３５１−２を鍵の挿入方向と直交する方向であって、シリンダ錠１００の内側方向（図中右側）に移動させることが可能となる。
【０１５７】
図５３に示される状態から、図５５に示されるように鍵２７０が回動させられると、シリンダ錠３００の内部の各部の状態は、図５４に示される状態から図５６に示されるように変化する。
【０１５８】
図５６は、図５４（または図５２）と同じ所定の奥行方向の位置におけるシリンダ錠３００の断面図であり、鍵２７０が回動されている場合の断面図である。正規の鍵が挿入された場合、上述したように、全てのタンブラプレートの凹部の位置がサイドバーの凸部の位置と一致するように移動されるので、サイドバー３５１−１およびサイドバー３５１−２をシリンダ錠３００の内側方向に付勢すれば、サイドバー３５１−１およびサイドバー３５１−２が鍵の挿入方向と直交する方向であって、シリンダ錠３００の内側方向に移動して、外周シリンダ３０１の内面に設けられた凹部３０１ｄ−１および３０１ｄ−２との嵌合が解除され、内周シリンダ３０３が回動可能となる。
【０１５９】
すなわち、鍵２７０が回動させられると、それに伴って、内周シリンダ３０３も回動され、このとき、凹部３０１ｄ−１または３０１ｄ−２の形状に沿って、サイドバー３５１−１およびサイドバー３５１−２がシリンダ錠３００の内側方向に付勢されることになる。これにより、図５６に示されるように内周シリンダ３０３が回動され、シリンダ錠３００が開錠される。
【０１６０】
なお、シリンダ錠３００の場合も、シリンダ錠１００の場合と同様に、初期状態から時計回りに鍵２７０を９０°回転させることで、シリンダ錠３００が開錠される。また、初期状態から、反時計回りに鍵２７０を１５０°回転させることでシリンダ錠３００がリセットされる。
【０１６１】
次に、シリンダ錠３００に設定されたキーコードのリセットについて説明する。
【０１６２】
図５７は、シリンダ錠３００の縦断面図であり、シリンダ錠３００がリセットされていない状態の図である。図５８は、図５７の図中円で囲まれた部分を拡大した図である。
【０１６３】
シリンダ錠３００がリセットされていない状態においては、図５８に示されるように、タンブラプレート３３３−２３と開閉プレート３３１−２３は、上述したように係合ピンと係合穴で係合しており、互いに当接している。同様に、他のタンブラプレートと開閉プレートも、係合ピンと係合穴で係合し、互いに当接した状態となっている。
【０１６４】
図５９は、シリンダ錠３００の縦断面図であり、シリンダ錠３００がリセットされている状態の図である。図６０は、図５９の図中円で囲まれた部分を拡大した図である。
【０１６５】
シリンダ錠３００がリセットされている状態においては、図６０に示されるように、タンブラプレート３３３−２３と開閉プレート３３１−２３は、互いに離れた（当接しない）位置にあり、係合ピンと係合穴による係合は解除されている。
【０１６６】
すなわち、図５９のサイドバー３５１−２は、図５７の場合と比較して、鍵の挿入方向（と平行な方向）であって、シリンダ錠３００の前方（図中下方向）に移動しており、サイドバー３５１−２の移動に伴って、タンブラプレート３３３−２３も図５８に示される位置から、図６０に示される鍵の挿入方向（と平行な方向）であって、シリンダ錠３００の前方（図中下方向）の位置に移動したことで、係合ピンと係合穴による係合が解除されることになる。
【０１６７】
同様に、他のタンブラプレートと開閉プレートも、互いに離れた位置にあり、係合ピンと係合穴による係合が解除された状態となっている。
【０１６８】
図６１乃至図６３を参照してさらに詳しく説明する。
【０１６９】
図６１ａは、リセットが開始された状態、すなわち、シリンダ錠３００に正規の鍵が挿入されて、反時計回りに回転され始めた状態のシリンダ錠３００の正面図である。図６１ｂは、図６１ａに示された状態のときの、シリンダ錠３００の内部の状態を説明する図であり、ここでは、分かり易くするため、シリンダ錠３００の外周シリンダ３０１の一部と、内周シリンダ３０３などが仮想的に取り外された状態が示されている。図６１ｃは、図６１ｂに示されるシリンダ錠３００を別の角度から見た図である。
【０１７０】
図６１ｂと図６１ｃに示されるように、この状態では、タンブラプレート３３３−２と開閉プレート３３１−２は互いに当接しており、また、タンブラプレート３３３−２４と開閉プレート３３１−２４も互いに当接している。
【０１７１】
タンブラプレート３３３−２は、サイドバー３５１−１の一部に嵌合しており、サイドバー３５１−１の鍵の挿入方向の移動に伴って移動するように構成されている。タンブラプレート３３３−２４は、サイドバー３５１−２の一部に嵌合しており、サイドバー３５１−２の鍵の挿入方向の移動に伴って移動するように構成されている。
【０１７２】
なお、同図では、タンブラプレート３３３−２４と開閉プレート３３１−２４、およびタンブラプレート３３３−２と開閉プレート３３１−２のみが示されているが、他のタンブラプレートと開閉プレートも同様に動作する。
【０１７３】
図６２ａは、リセットの途中の状態であって、図６１ａに示される状態から鍵が反時計回りにさらに回転された状態のシリンダ錠３００の正面図である。図６２ｂと図６２ｃは、図６２ａに示された状態のときの、シリンダ錠３００の内部の状態を説明する図であり、それぞれ図６１ｂと、図６１ｃに対応する図である。
【０１７４】
鍵の回転に伴って内周シリンダ３０３が回動するとき、サイドバー３５１−１と３５１−２は、前方（図中左側）の端部を、外周シリンダ３０１の正面の裏側に当接させながら移動するとともに、後方（図中右側）の端部を、スイッチケース３０２の前端面（内周シリンダ３０３と当接する面）に当接させながら移動することになる。
【０１７５】
なお、スイッチケース３０２も、図２８を参照して上述したスイッチケース１０２と同様に、前端面（内周シリンダ３０３と当接する面）が、その位置によって、形状が異なる構成とされ、内周シリンダ３０３の回動に伴ってサイドバー３５１−１が移動するとき、サイドバー３５１−１の後端部が当接する位置に穴が設けられているとともに、内周シリンダ３０３の回動に伴ってサイドバー３５１−２が移動するとき、サイドバー３５１−２の後端部が当接する位置に傾斜が設けられている。
【０１７６】
また、外周シリンダ３０１も、図２９を参照して上述した外周シリンダ１０１の場合と同様に、外周シリンダ３０１の正面裏側の面が、その位置によって、形状が異なる構成とされ、内周シリンダ３０３の回動に伴ってサイドバー３５１−１が移動するとき、サイドバー３５１−１の前端部が当接する位置に傾斜が設けられているとともに、内周シリンダ３０３の回動に伴ってサイドバー３５１−２が移動するとき、サイドバー３５１−２の前端部が当接する位置に穴が設けられている。
【０１７７】
すなわち、図６２ｂに示される状態から内周シリンダ３０３（鍵）がさらに反時計回りに回動されると、サイドバー３５１−１の前端部が外周シリンダ３０１の正面裏側の傾斜を移動し、序々にサイドバー３５１−１が、鍵の挿入方向であってシリンダ錠の後方へ押圧される。そして、サイドバー３５１−１の後端部がスイッチケース３０２の前端面の穴と同じ位置まで移動したとき、サイドバー３５１−１の後端部がその穴に挿入されて、サイドバー３５１−１が、鍵の挿入方向であってシリンダ錠の後方へ移動する。
【０１７８】
また、図６２ｃに示される状態から内周シリンダ３０３（鍵）がさらに反時計回りに回動されると、サイドバー３５１−２の後端部がスイッチケース３０２の前端面の傾斜を移動し、序々にサイドバー３５１−２が、鍵の挿入方向であってシリンダ錠の前方へ押圧される。そして、サイドバー３５１−２の前端部が外周シリンダ３０１の正面裏側の穴と同じ位置まで移動したとき、サイドバー３５１−２の後端部がその穴に挿入されて、サイドバー３５１−２が、鍵の挿入方向であってシリンダ錠の前方へ移動する。
【０１７９】
図６３ａは、リセットが完了した状態であって、図６２ａに示される状態から鍵が反時計回りにさらに回転された状態のシリンダ錠３００の正面図である。図６３ｂと図６３ｃは、図６３ａに示された状態のときの、シリンダ錠３００の内部の状態を説明する図であり、それぞれ図６１ｂと、図６１ｃに対応する図である。
【０１８０】
図６３ｂと図６３ｃに示されるように、サイドバー３５１−１は、上述したように鍵の挿入方向であってシリンダ錠の後方へ移動しており、サイドバー３５１−２は、上述したように鍵の挿入方向であってシリンダ錠の前方へ移動している。なお、図中矢印でサイドバー３５１−１または３５１−２の移動の方向が示されている。
【０１８１】
また、サイドバー３５１−１とサイドバー３５１−２の鍵の挿入方向の移動に伴って、タンブラプレート３３３−２とタンブラプレート３３３−２４も、鍵の挿入方向の移動している。これにより、タンブラプレート３３３−２４と開閉プレート３３１−２４は互いに離れて（当接しないで）位置し、また、タンブラプレート３３３−２と開閉プレート３３１−２も互いに離れて（当接しないで）位置することになり、図５９と図６０を参照して上述したように、シリンダ錠３００がリセットされた状態となる。
【０１８２】
図６３ａ乃至図６３ｃに示されるようなリセットが完了した状態で、新たな鍵を挿入し、内周シリンダ３０３（鍵）を時計回りに回動させると、係合が解除されていた各タンブラプレートの係合ピンと、各開閉プレートの係合穴が、新たな鍵のキーコードに対応する位置で再び係合する。その結果、シリンダ錠３００に新たなキーコードを設定することができる。
【図面の簡単な説明】
【０１８３】
【図１】本発明のシリンダ錠の構成例を示す斜視図である。
【図２】図１のシリンダ錠を別の角度からみた斜視図である。
【図３】図１のシリンダ錠の構成を示す斜視図である。
【図４】図３の内周シリンダの構成を示す斜視図である。
【図５】鍵の外観を示す斜視図である。
【図６】図５の鍵を別の角度から見た図である。
【図７】鍵と開閉プレートの関係を説明する図である。
【図８】図７の鍵の断面図である。
【図９】図８の一部を拡大した図である。
【図１０】シリンダ錠の外観を示す斜視図である。
【図１１】図１０の平面Ａにおけるシリンダ錠の断面図である。
【図１２】図１１の一部を拡大した図である。
【図１３】図１１の一部を拡大した図である。
【図１４】鍵が挿入されていない状態のシリンダ錠の正面図である。
【図１５】図１４のシリンダ錠の断面図である。
【図１６】鍵が挿入された状態のシリンダ錠の斜視図である。
【図１７】図１６の状態でのシリンダ錠の断面図である。
【図１８】鍵が回動させられている状態のシリンダ錠の斜視図である。
【図１９】図１８の状態でのシリンダ錠の断面図である。
【図２０】鍵の回転位置を説明する図である。
【図２１】リセットされていない状態におけるシリンダ錠の断面図である。
【図２２】図２１の一部を拡大した図である。
【図２３】リセットされた状態におけるシリンダ錠の断面図である。
【図２４】図２３の一部を拡大した図である。
【図２５】シリンダ錠のリセットを説明する図である。
【図２６】シリンダ錠のリセットを説明する図である。
【図２７】シリンダ錠のリセットを説明する図である。
【図２８】スイッチケースの外観を示す斜視図である。
【図２９】外周シリンダの外観を示す斜視図である。
【図３０】別の鍵の外観を示す斜視図である。
【図３１】図３０の鍵を別の角度から見た図である。
【図３２】図３０の鍵と開閉プレートの関係を説明する図である。
【図３３】図３２の鍵の断面図である。
【図３４】図３３の一部を拡大した図である。
【図３５】図３０の鍵を用いる場合のシリンダ錠の正面図である。
【図３６】図３５のシリンダ錠の断面図である。
【図３７】鍵が挿入された状態のシリンダ錠の斜視図である。
【図３８】図３７の状態でのシリンダ錠の断面図である。
【図３９】鍵が回動させられている状態のシリンダ錠の正面図である。
【図４０】図３９の状態でのシリンダ錠の断面図である。
【図４１】さらに別の鍵の外観を示す斜視図である。
【図４２】図４１の鍵を別の角度から見た図である。
【図４３】図４１の鍵と開閉プレートの関係を説明する図である。
【図４４】図４３の鍵の断面図である。
【図４５】図４４の一部を拡大した図である。
【図４６】図４１の鍵を用いる場合の内周シリンダの構成例を示す斜視図である。
【図４７】本発明のシリンダ錠の別の構成例を示す斜視図である。
【図４８】図４７のシリンダ錠の外観を示す斜視図である。
【図４９】図４８の平面Ａにおけるシリンダ錠の縦断面図である。
【図５０】図４９の一部を拡大した図である。
【図５１】鍵が挿入されていない状態の図４７のシリンダ錠の正面図である。
【図５２】図５１のシリンダ錠の断面図である。
【図５３】鍵が挿入された状態のシリンダ錠の外観を示す斜視図である。
【図５４】図５３の状態でのシリンダ錠の断面図である。
【図５５】鍵が回動させられている状態のシリンダ錠の斜視図である。
【図５６】図５５の状態でのシリンダ錠の縦断面図である。
【図５７】リセットされていない状態におけるシリンダ錠の縦断面図である。
【図５８】図５７の一部を拡大した図である。
【図５９】リセットされた状態におけるシリンダ錠の断面図である。
【図６０】図５９の一部を拡大した図である。
【図６１】シリンダ錠のリセットを説明する図である。
【図６２】シリンダ錠のリセットを説明する図である。
【図６３】シリンダ錠のリセットを説明する図である。
【符号の説明】
【０１８４】
１００  シリンダ錠，
１０１  外周シリンダ，
１０１ｄ−１，１０１ｄ−２  凹部，
１０２  スイッチケース，
１０３  内周シリンダ，
１０３ａ  鍵穴，
１３１−１乃至１３１−５  開閉プレート，
１３１−２１乃至１３１−２５  開閉プレート，
１３２−１乃至１３２−５  開閉プレート用バネ，
１３２−２１乃至１３２−２５  開閉プレート用バネ，
１３３−１乃至１３３−５  タンブラプレート，
１３３−２１乃至１３３−２５  タンブラプレート，
１５１−１，１５１−２  サイドバー，
１９０  鍵，
１９１ａ，１９１ｂ  溝，
２１０  鍵，
２１１ａ，２１１ｂ  突起，
２７０  鍵，
２７１ａ，２７１ｂ  位置決め面，
３００  シリンダ錠，
３０１  外周シリンダ，
３０１ｄ−１，３０１ｄ−２  凹部，
３０２  スイッチケース，
３０３  内周シリンダ，
３０３ａ  鍵穴，
３３１−１乃至３３１−５  開閉プレート，
３３１−２１乃至３３１−２５  開閉プレート，
３３２−１乃至３３２−５  開閉プレート用バネ，
３３２−２１乃至３３２−２５  開閉プレート用バネ，
３３３−１乃至３３３−５  タンブラプレート，
３３３−２１乃至３３３−２５  タンブラプレート，
３５１−１，３５１−２  サイドバー
【図１】
0004720496.tif 000002
【図２】
0004720496.tif 000003
【図３】
0004720496.tif 000004
【図４】
0004720496.tif 000005
【図５】
0004720496.tif 000006
【図６】
0004720496.tif 000007
【図７】
0004720496.tif 000008
【図８】
0004720496.tif 000009
【図９】
0004720496.tif 000010
【図１０】
0004720496.tif 000011
【図１１】
0004720496.tif 000012
【図１２】
0004720496.tif 000013
【図１３】
0004720496.tif 000014
【図１４】
0004720496.tif 000015
【図１５】
0004720496.tif 000016
【図１６】
0004720496.tif 000017
【図１７】
0004720496.tif 000018
【図１８】
0004720496.tif 000019
【図１９】
0004720496.tif 000020
【図２０】
0004720496.tif 000021
【図２１】
0004720496.tif 000022
【図２２】
0004720496.tif 000023
【図２３】
0004720496.tif 000024
【図２４】
0004720496.tif 000025
【図２５】
0004720496.tif 000026
【図２６】
0004720496.tif 000027
【図２７】
0004720496.tif 000028
【図２８】
0004720496.tif 000029
【図２９】
0004720496.tif 000030
【図３０】
0004720496.tif 000031
【図３１】
0004720496.tif 000032
【図３２】
0004720496.tif 000033
【図３３】
0004720496.tif 000034
【図３４】
0004720496.tif 000035
【図３５】
0004720496.tif 000036
【図３６】
0004720496.tif 000037
【図３７】
0004720496.tif 000038
【図３８】
0004720496.tif 000039
【図３９】
0004720496.tif 000040
【図４０】
0004720496.tif 000041
【図４１】
0004720496.tif 000042
【図４２】
0004720496.tif 000043
【図４３】
0004720496.tif 000044
【図４４】
0004720496.tif 000045
【図４５】
0004720496.tif 000046
【図４６】
0004720496.tif 000047
【図４７】
0004720496.tif 000048
【図４８】
0004720496.tif 000049
【図４９】
0004720496.tif 000050
【図５０】
0004720496.tif 000051
【図５１】
0004720496.tif 000052
【図５２】
0004720496.tif 000053
【図５３】
0004720496.tif 000054
【図５４】
0004720496.tif 000055
【図５５】
0004720496.tif 000056
【図５６】
0004720496.tif 000057
【図５７】
0004720496.tif 000058
【図５８】
0004720496.tif 000059
【図５９】
0004720496.tif 000060
【図６０】
0004720496.tif 000061
【図６１】
0004720496.tif 000062
【図６２】
0004720496.tif 000063
【図６３】
0004720496.tif 000064